(57)【要約】【課題】移動局がパケット交換の呼制御に用いる基地局として同一の基地局を重複して選択した場合でも所期の通信速度が得られるようにした無線中継装置を提供する。【解決手段】無線中継装置１は、基地局ＢＳ向けアンテナ２ａを介して基地局ＢＳとの間で無線通信を行うＢＳ側無線通信部２と、移動局ＰＳ向けアンテナ３ａを介して移動局ＰＳとの間で無線通信を行うＰＳ側無線通信部３と、ＢＳ側無線通信部２及びＰＳ側無線通信部３の送受信動作を制御する制御部４とから構成され、無線中継装置１で基地局ＢＳまたは移動局ＰＳから受信したパケット交換Ｐ、回線交換Ｌの各呼制御の信号は、受信したスロットと同一のスロットを用いて基地局ＢＳまたは移動局ＰＳへ中継、送信される。【選択図】        図１
2004349874.tif 000002
【特許請求の範囲】
【請求項１】
基地局及び移動局と各々通信を行う２系統の無線通信手段と、無線通信手段の動作を制御する通信制御手段とを備えて、時分割多重された複数の絶対スロットを利用して移動局と基地局との間で無線のパケット交換を行う無線通信システムに用いられ、移動局と基地局との間で各々の送信電波を中継する無線中継装置において、基地局と通信を行う無線通信手段が送受信するパケット交換の呼制御及び移動局と通信を行う無線通信手段が送受信するパケット交換の呼制御の各中継処理を、１つ以上の同一の絶対スロットを割り当てて行うことを特徴とする無線中継装置。
【請求項２】
時分割多重された複数の絶対スロットを利用して移動局と基地局との間で無線のパケット交換及び回線交換を行う無線通信システムに用いられ、パケット交換の中継処理中に回線交換の呼制御が発生した場合、基地局と通信を行う無線通信手段が送受信する回線交換の呼制御及び移動局と通信を行う無線通信手段が送受信する回線交換の呼制御の各中継処理を、パケット交換の呼制御とは異なる１つ以上の絶対スロットを割り当てて行うことを特徴とする請求項１記載の無線中継装置。
【請求項３】
基地局と通信を行う無線通信手段が送受信する回線交換の呼制御及び移動局と通信を行う無線通信手段が送受信する回線交換の呼制御の各中継処理を、１つ以上の同一の絶対スロットを割り当てて行うことを特徴とする請求項２記載の無線中継装置。
【請求項４】
中継処理を行っている回線交換の呼制御に干渉が発生した場合、干渉が発生した回線交換の呼制御に割り当てた絶対スロットを別の絶対スロットに切り替えてパケット交換及び回線交換の各中継処理を継続することを特徴とする請求項３記載の無線中継装置。
【請求項５】
回線交換の中継処理中にパケット交換の呼制御が発生した場合、基地局と通信を行う無線通信手段が送受信するパケット交換の呼制御及び移動局と通信を行う無線通信手段が送受信するパケット交換の呼制御の各中継処理を、回線交換の呼制御とは異なる１つ以上の絶対スロットを割り当てて行うことを特徴とする請求項２記載の無線中継装置。
【請求項６】
中継処理を行っている回線交換の呼制御での干渉と新規パケット交換の呼制御とが発生して、干渉が発生した回線交換の呼制御の切替先の絶対スロットと、新規パケット交換の呼制御に割り当てる絶対スロットとが同一の場合、干渉が発生した回線交換の呼制御に絶対スロットを優先して割り当てることを特徴とする請求項５記載の無線中継装置。
【発明の詳細な説明】
【０００１】
【発明の属する技術分野】
本発明は、無線通信システムで移動局と基地局との間の無線通信を中継する無線中継装置に関するものである。
【０００２】
【従来の技術】
従来、図１２に示すような４チャネル多重のＴＤＭＡ−ＴＤＤ（Ｔｉｍｅ  Ｄｉｖｉｓｉｏｎ  Ｍｕｌｔｉｐｌｅ  Ａｃｃｅｓｓ−Ｔｉｍｅ  Ｄｉｖｉｓｉｏｎ  Ｄｕｐｌｅｘ）方式の無線通信システムにおいて移動局ＰＳと基地局ＢＳとの間の無線通信を中継する無線中継装置１１が提供されている。この無線中継装置１１は、２系統のＢＳ側無線通信部１２、ＰＳ側無線通信部１３を搭載し、ＢＳ側無線通信部１２で基地局ＢＳ向けアンテナ１２ａを介して基地局ＢＳとの間で無線通信を行うと同時に、ＰＳ側無線通信部１３で移動局ＰＳ向けアンテナ１３ａを介して移動局ＰＳとの間で無線通信を行っている。（「第二世代コードレス電話システム標準規格（ＲＣＲ  ＳＴＤ−２８）」参照）。
【０００３】
現在、５ｍｓｅｃの時間長を１フレームとし、さらに８等分したものを１スロット（時間長０．６２５ｍｓｅｃ）として規定し、各スロット毎に複数のキャリアが周波数多重されている。そして図２に示すように、基地局ＢＳから移動局ＰＳ（以下、「下り」と呼ぶ）への送信信号は、１フレーム中の下り区間Ａの４スロットＳ１〜Ｓ４を割り当て、移動局ＰＳから基地局ＢＳ（以下、「上り」と呼ぶ）への送信信号は、１フレーム中の上り区間Ｂの４スロットＳ１〜Ｓ４を割り当てている。つまり、１つの基地局ＢＳは理論上最大４つの移動局ＰＳとの通信が同時に処理できる。また、１つのスロットには１６０ｂｉｔのデータが含まれ、１つの移動局ＰＳと基地局ＢＳとの間では５ｍｓｅｃ毎に１６０ｂｉｔのデータが半二重で伝送されることになり、単位時間当たりで見れば３２ｋｂｐｓの通信速度が得られることになり、４スロットでは最大１２８ｋｂｐｓの通信速度が得られる。
【０００４】
また、ＰＨＳでは１．９ＧＨｚ帯の無線周波数を利用しており、例えば屋外に設置されている基地局ＢＳの電波が建物内の移動局ＰＳに到達し難いため、屋外の基地局ＢＳと屋内の移動局ＰＳとの間で各々の送信電波を中継する無線中継装置が従来より用いられていた（例えば、特許文献１参照）。この無線中継装置では、電波の受信強度が最も大きい基地局に対して制御用チャネル（ＣＣＨ）を送信して通信要求を行い、情報チャネル（ＴＣＨ）を送信して通信を行なっていた。
【０００５】
【特許文献１】
特開平１０−１５５１７２号公報（第３頁、第１図）
【０００６】
【発明が解決しようとする課題】
ところで近年では、インターネットの普及に伴って高速な通信が行える無線通信システムの需要が高まってきており、上述のＰＨＳを利用したパケット交換においても通信速度向上のために、１つの移動局ＰＳが互いに異なる複数（例えば２つ）の基地局ＢＳとの間で通信することにより、１つの基地局ＢＳとのみ通信している場合よりも速い速度（例えば２つの基地局ＢＳと通信する場合であれば最大６４ｋｂｐｓの通信速度）が得られるようになっている。
【０００７】
しかし、ＢＳ側無線通信部１２はスロットＳ１で基地局ＢＳから呼制御等の信号を受信し、ＰＳ側無線通信部１３は受信したスロットとは異なるスロット（例えばスロットＳ２）を用いて移動局ＰＳへ送信することがあり、同様にＰＳ側無線通信部１３はスロットＳ１を用いて移動局ＰＳからの信号を受信し、ＢＳ側無線通信部１２は受信したスロットとは異なるスロット（例えばスロットＳ２）を用いて基地局ＢＳへ送信することがある。
【０００８】
そして、１つの移動局ＰＳと複数の基地局ＢＳとの間に無線中継装置１１が介在する場合、当該移動局ＰＳからは無線中継装置１１も基地局とみなされるため、移動局ＰＳが無線中継装置１１で中継している基地局ＢＳとは別に、他の基地局ＢＳとも通信しようとしても、無線中継装置１１で中継している基地局ＢＳと、移動局ＰＳが直接通信する基地局ＢＳとが重複する可能性があった。例えば、基地局ＢＳと無線中継装置１１との間の通信にはスロットＳ１を用い、移動局ＰＳと無線中継装置１１との間の通信にはスロットＳ２を用いているとする。このとき移動局ＰＳが通信している基地局は無線中継装置１１であり、さらに通信速度の高速化要求を行う場合に移動局ＰＳは直接基地局ＢＳに対して、移動局ＰＳからみて現在空いているスロットＳ１を用いて通信を行うように要求する。しかし基地局ＢＳは既にスロットＳ１を用いて無線中継装置１１と通信しており、移動局ＰＳから見れば受信強度が最も大きいと考えられる無線中継装置１１と、受信強度が次に大きいと考えられる基地局ＢＳとを選択したとしても、実際には２つの基地局が同一であって実質的に１つの基地局と１つのスロットのみを用いて通信している状況となり、本来の通信速度が得られない虞があった。
【０００９】
本発明は、上記事由に鑑みてなされたものであり、その目的は、移動局がパケット交換の呼制御に用いる基地局として同一の基地局を重複して選択した場合でも所期の通信速度が得られるようにした無線中継装置を提供することにある。
【００１０】
【課題を解決するための手段】
請求項１の発明は、基地局及び移動局と各々通信を行う２系統の無線通信手段と、無線通信手段の動作を制御する通信制御手段とを備えて、時分割多重された複数の絶対スロットを利用して移動局と基地局との間で無線のパケット交換を行う無線通信システムに用いられ、移動局と基地局との間で各々の送信電波を中継する無線中継装置において、基地局と通信を行う無線通信手段が送受信するパケット交換の呼制御及び移動局と通信を行う無線通信手段が送受信するパケット交換の呼制御の各中継処理を、１つ以上の同一の絶対スロットを割り当てて行うことを特徴とする。
【００１１】
請求項２の発明は、請求項１において、時分割多重された複数の絶対スロットを利用して移動局と基地局との間で無線のパケット交換及び回線交換を行う無線通信システムに用いられ、パケット交換の中継処理中に回線交換の呼制御が発生した場合、基地局と通信を行う無線通信手段が送受信する回線交換の呼制御及び移動局と通信を行う無線通信手段が送受信する回線交換の呼制御の各中継処理を、パケット交換の呼制御とは異なる１つ以上の絶対スロットを割り当てて行うことを特徴とする。
【００１２】
請求項３の発明は、請求項２において、基地局と通信を行う無線通信手段が送受信する回線交換の呼制御及び移動局と通信を行う無線通信手段が送受信する回線交換の呼制御の各中継処理を、１つ以上の同一の絶対スロットを割り当てて行うことを特徴とする。
【００１３】
請求項４の発明は、請求項３において、中継処理を行っている回線交換の呼制御に干渉が発生した場合、干渉が発生した回線交換の呼制御に割り当てた絶対スロットを別の絶対スロットに切り替えてパケット交換及び回線交換の各中継処理を継続することを特徴とする。
【００１４】
請求項５の発明は、請求項２において、回線交換の中継処理中にパケット交換の呼制御が発生した場合、基地局と通信を行う無線通信手段が送受信するパケット交換の呼制御及び移動局と通信を行う無線通信手段が送受信するパケット交換の呼制御の各中継処理を、回線交換の呼制御とは異なる１つ以上の絶対スロットを割り当てて行うことを特徴とする。
【００１５】
請求項６の発明は、請求項５において、中継処理を行っている回線交換の呼制御での干渉と新規パケット交換の呼制御とが発生して、干渉が発生した回線交換の呼制御の切替先の絶対スロットと、新規パケット交換の呼制御に割り当てる絶対スロットとが同一の場合、干渉が発生した回線交換の呼制御に絶対スロットを優先して割り当てることを特徴とする。
【００１６】
【発明の実施の形態】
以下、本発明の実施の形態を図面に基づいて説明する。
【００１７】
（実施形態１）
本実施形態の無線中継装置は、４チャネル多重のＴＤＭＡ−ＴＤＤ方式の無線通信システムにおいて移動局ＰＳと基地局ＢＳとの間の無線通信を中継するＰＨＳなどの無線通信システムに用いられ、移動局ＰＳと基地局ＢＳとの間のパケット交換及び回線交換を行う無線通信を中継するもので、そのスロット構成は従来例と同様に図２に示され、最大１２８ｋｂｐｓの通信に対応している。
【００１８】
図１は無線中継装置１のブロック図であり、この無線中継装置１は、基地局ＢＳ向けアンテナ２ａを介して基地局ＢＳとの間で無線通信を行うＢＳ側無線通信部２と、移動局ＰＳ向けアンテナ３ａを介して移動局ＰＳとの間で無線通信を行うＰＳ側無線通信部３と、ＢＳ側無線通信部２及びＰＳ側無線通信部３の送受信動作を制御する通信制御部４と、電源部５とから構成される。
【００１９】
通信制御部４は、制御ブロック４ａと、Ｆ−ＲＯＭ４ｂ，４ｃと、ＲＡＭ４ｄ，４ｅとを備えており、制御ブロック４ａはモデム部、ＴＤＭＡ処理部、ＣＰＵから構成される。基地局ＢＳから移動局ＰＳへの信号を中継する際は、アンテナ２ａを介して受信した基地局ＢＳからの信号をＢＳ側無線通信部２で周波数変換する。そして制御ブロック４ａ内において、モデム部で復調した後、ＴＤＭＡ処理部でデコードして、ＣＰＵで受信した情報を解析し、その後ＴＤＭＡ処理部でコード化し、モデム部で変調した後、ＰＳ側無線通信部３で周波数変換し、アンテナ３ａを介して外部の移動局ＰＳに送信する。一方、移動局ＰＳから基地局ＢＳへの信号を中継する際は、上述と逆の信号経路で信号を中継し、アンテナ２ａを介して基地局ＢＳに信号を送信する。尚、Ｆ−ＲＯＭ４ｂ，４ｃは動作プログラムやパラメータなどのデータを記憶し、ＲＡＭ４ｄ，４ｅは演算データなどのデータや各基地局ＢＳからの無線信号から制御ブロック４ａのＣＰＵが取得した各基地局ＢＳの基地局ＩＤを記憶し、電源５は商用電源から電源供給され内部回路の動作電源を生成する。
【００２０】
そして本実施形態の無線中継装置１では図３に示すように、ＢＳ側無線通信部２はスロットＳ１を用いて基地局ＢＳとの３２ｋｂｐｓのパケット交換Ｐの呼制御を中継し、スロットＳ２を用いて基地局ＢＳとの３２ｋｂｐｓの回線交換Ｌの呼制御を中継し、ＰＳ側無線通信部３はスロットＳ１を用いて移動局ＰＳとの３２ｋｂｐｓのパケット交換Ｐの呼制御を中継し、スロットＳ２を用いて移動局ＰＳとの３２ｋｂｐｓの回線交換Ｌの呼制御を中継する。すなわち、受信したパケット交換Ｐ、回線交換Ｌの各呼制御の信号は、受信したスロットと同一のスロットを用いて送信される。
【００２１】
上記動作のうち、無線中継装置１が移動局ＰＳとの間でパケット交換Ｐ、回線０交換Ｌの各呼制御を行うスロットを割り当てる処理について図４に示すフローチャートを用いて説明する。パケット交換Ｐまたは回線交換Ｌの呼制御の要求（リンクチャネル確立要求ＳＣＣＨ）が移動局ＰＳから無線中継装置１を介して基地局ＢＳに送信されると、基地局ＢＳはスロットの割当（リンクチャネル割当ＳＣＣＨ）を無線中継装置１に送信し、無線中継装置１で移動局ＰＳの割り当て処理が開始される（ステップＫ１）。まず無線中継装置１は基地局ＢＳから割り当てられたスロット番号を識別する（ステップＫ２）。そして基地局ＢＳから割り当てられたスロット番号がスロットＳ１であればスロットＳ１の割当（リンクチャネル割当ＳＣＣＨ）を移動局ＰＳに送信し（ステップＫ３）、基地局ＢＳから割り当てられたスロット番号がスロットＳ２であればスロットＳ２の割当（リンクチャネル割当ＳＣＣＨ）を移動局ＰＳに送信し（ステップＫ４）、基地局ＢＳから割り当てられたスロット番号がスロットＳ３であればスロットＳ３の割当（リンクチャネル割当ＳＣＣＨ）を移動局ＰＳに送信し（ステップＫ５）、基地局ＢＳから割り当てられたスロット番号がスロットＳ４であればスロットＳ４の割当（リンクチャネル割当ＳＣＣＨ）を移動局ＰＳに送信して（ステップＫ６）、本処理を終了する（ステップＫ７）。
【００２２】
このように無線中継装置１が基地局ＢＳまたは移動局ＰＳから受信したパケット交換Ｐ、回線交換Ｌの各呼制御の信号は、受信したスロットと同一のスロットを用いて基地局ＢＳまたは移動局ＰＳへ送信される。したがって図３において、移動局ＰＳが通信速度の高速化のために、基地局ＢＳに対して現在空いているスロットＳ３を用いてパケット交換Ｐの呼制御を行うように直接要求した場合、基地局ＢＳは無線中継装置１を介した移動局ＰＳとの間で、スロットＳ１を用いたパケット交換Ｐの呼制御を行うとともに、空いているスロットＳ３を用いて移動局ＰＳとパケット交換Ｐの呼制御を直接行うことができる。つまり、基地局ＢＳと移動局ＰＳとはスロットＳ１とスロットＳ３とを用いてパケット交換の呼制御を行うので、通信速度は３２ｋｂｐｓから６４ｋｂｐｓに向上する。
【００２３】
すなわち、移動局ＰＳが通信の呼制御に用いる基地局として同一の基地局ＢＳを重複して選択した場合でも所期の通信速度が得られるのである。
【００２４】
（実施形態２）
本実施形態の無線中継装置１の構成は実施形態１と同様であり、同様の構成には同一の符号を付して説明は省略する。図５は本実施形態の動作を示すシーケンス図であり、無線中継装置１が基地局ＢＳ及び移動局ＰＳとの間で１つのスロットを用いて３２ｋｂｐｓのパケット交換Ｐの呼制御を中継しているときに、２つのスロットを用いた６４ｋｂｐｓの回線交換Ｌの呼制御の要求（リンクチャネル確立要求ＳＣＣＨ）が移動局ＰＳから無線中継装置１を介して基地局ＢＳに送信されると、基地局ＢＳは回線用スロットの割当（リンクチャネル割当ＳＣＣＨ）を無線中継装置１に送信し、無線中継装置１は基地局ＢＳから割り当てられたスロットと同一のスロットの割当（リンクチャネル割当ＳＣＣＨ）を移動局ＰＳに送信する。そして基地局ＢＳと移動局ＰＳとは割り当てられた２つのスロットを用いて無線中継装置１を介して６４ｋｂｐｓの回線交換Ｌの呼制御を行う。
【００２５】
無線中継装置１の上記動作について図６に示すフローチャートを用いて説明する。まず基地局ＢＳと移動局ＰＳとの間で回線交換及びパケット交換の呼制御の中継処理が開始されると（ステップＫ１１）、回線交換Ｌの呼制御（回線通信呼）が発生したか否かを判別し（ステップＫ１２）、発生していなければこの処理を繰り返す。回線通信呼が発生すれば、次にパケット交換Ｐの呼制御（パケット通信呼）を現在行っているか否かを判別し（ステップＫ１３）、現在パケット通信呼を行っておれば、回線通信呼も起動してパケット交換及び回線交換の各呼制御の混在中継を行って（ステップＫ１４）、本処理を終了する（ステップＫ１６）。パケット通信呼を現在行っていなければ、回線通信呼を起動して回線通信呼の中継のみを行って（ステップＫ１５）、本処理を終了する（ステップＫ１６）。このようにしてパケット交換Ｐ及び回線交換Ｌの各呼制御の混在中継を行う。
【００２６】
また、実施形態１同様に無線中継装置１で基地局ＢＳまたは移動局ＰＳから受信したパケット交換Ｐ、回線交換Ｌの各信号は、受信したスロットと同一のスロットを用いて基地局ＢＳまたは移動局ＰＳへ送信されるので、移動局ＰＳが同一の基地局ＢＳを重複して選択した場合でも所期の通信速度が得られる。
【００２７】
（実施形態３）
本実施形態の無線中継装置１の構成は実施形態１と同様であり、同様の構成には同一の符号を付して説明は省略する。本実施形態では、無線中継装置１がパケット交換及び回線交換の各呼制御の混在中継を行っているときに回線交換の呼制御に干渉が発生した場合の動作について図７に示すフローチャートを用いて説明する。まず基地局ＢＳと移動局ＰＳとの間で回線交換及びパケット交換の呼制御の中継処理が開始され（ステップＫ２１）、実施形態２で説明したパケット交換及び回線交換の各呼制御の混在中継が行われている状態で（ステップＫ２２）、回線交換Ｌの呼制御（回線通信呼）に干渉が発生したか否かを判別し（ステップＫ２３）、発生していなければこの処理を繰り返す。回線通信呼に干渉が発生すれば、無線中継装置１は、回線通信呼の情報チャネル（ＴＣＨ）を切り替える要求（ＴＣＨ切替要求ＳＡＣＣＨ／ＦＡＣＣＨ）を基地局ＢＳへ送信し、基地局ＢＳは回線通信呼の情報チャネル（ＴＣＨ）を切り替える指示（ＴＣＨ切替指示ＳＡＣＣＨ／ＦＡＣＣＨ）を無線中継装置１に送信して、無線中継装置１はこのＴＣＨ切替指示（ＳＡＣＣＨ／ＦＡＣＣＨ）を受信し、ＴＣＨ切替を行う（ステップＫ２４）。そのＴＣＨ切替後のスロットを用いて回線交換の呼制御を行い、無線中継装置１はパケット交換及び回線交換の各呼制御の混在中継を継続して（ステップＫ２５）、本処理を終了する（ステップＫ２６）。
【００２８】
（実施形態４）
本実施形態の無線中継装置１の構成は実施形態１と同様であり、同様の構成には同一の符号を付して説明は省略する。図８は本実施形態の動作を示すシーケンス図であり、無線中継装置１が基地局ＢＳ及び移動局ＰＳとの間で２つのスロットを用いて６４ｋｂｐｓの回線交換Ｌの呼制御を中継しているときに、１つのスロットを用いた３２ｋｂｐｓパケット交換Ｐの呼制御の要求（リンクチャネル確立要求ＳＣＣＨ）が移動局ＰＳから無線中継装置１を介して基地局ＢＳに送信されると、基地局ＢＳはパケット用スロットの割当（リンクチャネル割当ＳＣＣＨ）を無線中継装置１に送信し、無線中継装置１は基地局ＢＳから割り当てられたスロットと同一のスロットの割当（リンクチャネル割当ＳＣＣＨ）を移動局ＰＳに送信する。そして基地局ＢＳと移動局ＰＳとは割り当てられた１つのスロットを用いて無線中継装置１を介して３２ｋｂｐｓのパケット交換Ｐの呼制御を行う。
【００２９】
無線中継装置１の上記動作について図９に示すフローチャートを用いて説明する。まず基地局ＢＳと移動局ＰＳとの間で回線交換及びパケット交換の呼制御の中継処理が開始されると（ステップＫ３１）、パケット交換Ｐの呼制御（パケット通信呼）が発生したか否かを判別し（ステップＫ３２）、発生していなければこの処理を繰り返す。パケット通信呼が発生すれば、次に回線交換Ｌの呼制御（回線通信呼）を現在行っているか否かを判別し（ステップＫ３３）、現在回線通信呼を行っておれば、パケット通信呼も起動してパケット交換及び回線交換の各呼制御の混在中継を行って（ステップＫ３４）、本処理を終了する（ステップＫ３６）。回線通信呼を現在行っていなければ、パケット通信呼を起動してパケット通信呼の中継のみを行って（ステップＫ３５）、本処理を終了する（ステップＫ３６）。このようにしてパケット交換Ｐ及び回線交換Ｌの各呼制御の混在中継を行う。
【００３０】
（実施形態５）
本実施形態の無線中継装置１の構成は実施形態１と同様であり、同様の構成には同一の符号を付して説明は省略する。図１０は本実施形態の動作を示すシーケンス図であり、無線中継装置１が基地局ＢＳ１及び移動局ＰＳとの間で１つのスロットを用いて３２ｋｂｐｓの回線交換Ｌの呼制御を中継しているときに、１つのスロットを用いた３２ｋｂｐｓのパケット交換Ｐの呼制御の要求（リンクチャネル確立要求ＳＣＣＨ）が移動局ＰＳから無線中継装置１を介して基地局ＢＳ２に新規に送信されるとともに、基地局ＢＳ１と移動局ＰＳとの間で行われている回線交換Ｌの呼制御に干渉が発生した場合、まず最初に無線中継装置１は、回線交換Ｌの呼制御の情報チャネル（ＴＣＨ）を切り替える要求（ＴＣＨ切替要求ＳＡＣＣＨ／ＦＡＣＣＨ）を基地局ＢＳ１へ送信し、基地局ＢＳ１は干渉を受けないスロットを選択してＴＣＨ切替指示（ＳＡＣＣＨ／ＦＡＣＣＨ）を無線中継装置１へ送信する。無線中継装置１はパケット要求を基地局ＢＳ２に送信しているにも関わらず、ＴＣＨ切替指示（ＳＡＣＣＨ／ＦＡＣＣＨ）に基づいて、基地局ＢＳ１に対して回線交換Ｌの呼制御を行う回線用スロットをスロットＮに切り替える。
【００３１】
上記のようにパケット要求を送信しているにも関わらず、回線交換Ｌに干渉が発生した場合は、回線交換Ｌの干渉回避を優先して回線交換を行い、またパケット用スロットの割当（リンクチャネル割当ＳＣＣＨ）がＴＣＨ切替スロットと同一の場合には、無線中継装置１はパケット交換Ｐの呼制御の再要求（リンクチャネル再要求）を基地局ＢＳ２に対して送信する。そして、基地局ＢＳ１と移動局ＰＳとの間で回線用スロットＮを用いて回線交換Ｌの呼制御の中継を行っている間に、基地局ＢＳ２はスロットＮとは異なるパケット用スロットの割当（リンクチャネル割当ＳＣＣＨ）を無線中継装置１に送信し、無線中継装置１は基地局ＢＳ２から割り当てられたスロットと同一のスロットの割当（リンクチャネル割当ＳＣＣＨ）を移動局ＰＳに送信する。このようにしてパケット交換Ｐ及び回線交換Ｌは異なるスロットを用いて各呼制御の混在中継を行う。
【００３２】
無線中継装置１の上記動作について図１１に示すフローチャートを用いて説明する。まず回線交換及びパケット交換の呼制御の中継処理が開始されると（ステップＫ４１）、回線交換Ｌの呼制御（回線通信呼）の中継が行われている状態で（ステップＫ４２）、回線通信呼の干渉発生と、新規のパケット交換Ｐの呼制御（パケット通信呼）発生とが競合し、基地局からのＴＣＨ切替指示に基づく切替先の回線用スロットと、基地局からリンクチャネル割当（ＳＣＣＨ）によって割り当てられたパケット用スロットとが重複（同一）しているか否かを判別する（ステップＫ４３）。重複しておれば、回線通信呼のＴＣＨ切替指示（ＳＡＣＣＨ／ＦＡＣＣＨ）によって回線用スロットを切り替えた後、パケット通信呼のリトライ（呼制御の再要求（リンクチャネル確立再要求ＳＣＣＨ））を実施して（ステップＫ４４）、本処理を終了する（ステップＫ４６）。重複していなければ、回線通信呼のＴＣＨ切替指示（ＳＡＣＣＨ／ＦＡＣＣＨ）による回線用スロットの切替と、呼制御の要求（リンクチャネル確立要求ＳＣＣＨ）によるパケット通信呼の起動とを実施し、本処理を終了する（ステップＫ４６）。
【００３３】
【発明の効果】
請求項１の発明によれば、移動局がパケット交換の呼制御に用いる基地局として同一の基地局を重複して選択した場合でも所期の通信速度が得られるという効果がある。
【００３４】
請求項２の発明によれば、パケット交換及び回線交換の各呼制御の混在中継を行うことができるという効果がある。
【００３５】
請求項３の発明によれば、移動局が回線交換の呼制御に用いる基地局として同一の基地局を重複して選択した場合でも所期の通信速度が得られるという効果がある。
【００３６】
請求項４の発明によれば、干渉が発生した場合でも回線交換の呼制御を継続することができるという効果がある。
【００３７】
請求項５の発明によれば、パケット交換及び回線交換の各呼制御の混在中継を行うことができるという効果がある。
【００３８】
請求項６の発明によれば、中継処理を行っている回線交換の呼制御での干渉と新規パケット交換の呼制御とが発生し、各呼制御に割り当てるスロットが同一であった場合でも、パケット交換及び回線交換の各呼制御の混在中継を行うことができるという効果がある。
【図面の簡単な説明】
【図１】本発明の無線中継装置の構成を示す図である。
【図２】同上のスロット構成を示す図である。
【図３】本発明の実施形態１のスロット構成を示す図である。
【図４】同上の動作フローチャートを示す図である。
【図５】本発明の実施形態２の動作シーケンスを示す図である。
【図６】同上の動作フローチャートを示す図である。
【図７】本発明の実施形態３の動作フローチャートを示す図である。
【図８】本発明の実施形態４の動作シーケンスを示す図である。
【図９】同上の動作フローチャートを示す図である。
【図１０】本発明の実施形態５の動作シーケンスを示す図である。
【図１１】同上の動作フローチャートを示す図である。
【図１２】従来の無線中継装置の構成を示す図である。
【符号の説明】
１  無線中継装置
２  ＢＳ側無線通信部
２ａ  ＢＳ向けアンテナ
３  ＰＳ側無線通信部
３ａ  移動局ＰＳ向けアンテナ
４  制御部
４ａ  制御ブロック
４ｂ，４ｃ  Ｆ−ＲＯＭ
４ｄ，４ｅ  ＲＡＭ
５  電源
ＢＳ  基地局
ＰＳ  移動局
【図１】
2004349874.tif 000003
【図２】
2004349874.tif 000004
【図３】
2004349874.tif 000005
【図４】
2004349874.tif 000006
【図５】
2004349874.tif 000007
【図６】
2004349874.tif 000008
【図７】
2004349874.tif 000009
【図８】
2004349874.tif 000010
【図９】
2004349874.tif 000011
【図１０】
2004349874.tif 000012
【図１１】
2004349874.tif 000013
【図１２】
2004349874.tif 000014